(57)【要約】【課題】コンパクトな構成で大きなサイズの原稿を読み取ることが可能な非接触型画像入力装置を提供する。【解決手段】設置台に原稿を置き、この置かれた原稿を離れた位置から光学的に読み取る装置に際し、上記設置台上に置いた合成原稿器具に原稿を載置させ移送する構造において、この合成原稿台を形成することで、原稿サイズがＡ３まで読み取る器具を備えた装置である。【選択図】　図１
2004104729.tif 000002
【特許請求の範囲】
【請求項１】
画像入力範囲にある媒体の画像を入力する入力部と、
前記入力部を搭載する支持部と、
前記支持部を支える台と、
前記台上に可動に設置され、媒体が載置される媒体移送機構を有する画像入力装置。
【請求項２】
請求項１に記載の画像入力装置において、
前記媒体移送機構は第１の設置位置から第二の設置位置まで可動であって、
前記第１の設置位置は載置した媒体の半分の領域が前記画像入力範囲に存在する位置であって、
前記第二の設置位置は前記載置した媒体の残り半分の領域が前記画像入力範囲に存在する位置であることを特徴とする画像入力装置。
【請求項３】
請求項２に記載の画像入力装置において、
前記媒体移送機構は滑子を有し、
前記滑子によって前記第１の設置位置から前記第２の設置位置まで移動することを特徴とする画像入力装置。
【請求項４】
請求項１乃至３に記載の画像入力装置において、
前記媒体移送機構の媒体載置面は黒色であることを特徴とする画像入力装置。
【請求項５】
画像入力範囲にある媒体の画像を入力する非接触型画像入力装置の媒体設置台に搭載される媒体移送機構であって、
前記設置台上の第１の設置位置から第二の設置位置まで可動であって、
前記第１の設置位置は載置した媒体の半分の領域が前記画像入力範囲に存在する位置であって、
前記第二の設置位置は前記載置した媒体の残り半分の領域が前記画像入力範囲に存在する位置であることを特徴とする媒体移送機構。
【発明の詳細な説明】
【０００１】
【発明の属する技術分野】
本発明は、設置台に原稿を置き、この置かれた原稿を光学的に読み取る画像入力装置に関し、特に原稿と読み取り部の間に距離のあるスタンド型画像入力装置に関して有効な技術に関するものである。
【０００２】
【従来の技術】
【特許文献１】特開平５−１４５７４２号公報
従来、伝票や帳票または手書き文字の原稿を画像データとして光学的に読み取る画像入力装置装置として、スタンド型画像入力装置がある。このスタンド型画像入力装置の場合、入力対象の媒体を設置する設置台があり、この上に載置できる媒体のサイズは決まっていることが通例である。また、このような画像入力装置の場合、小型化の必要性のため、自動焦点機構を備えていないものが多い。
【０００３】
しかしながら、この設置台に載置可能なサイズ以上の媒体を読み取る必要性が生じる場合がある。この対策として特開平５−１４５７４２号公報には、原稿を４分割で読み取りし読み取り画像を圧縮して合成させ、Ａ４に出力させ読み取りする方法が記載されている。
【０００４】
【発明が解決しようとする課題】
しかしながら、上記文献に記載された方法では、読み取り画像を圧縮させて合成させる為読み取りから出力するまで時間が激増する問題がある。またＡ３サイズの読み取り範囲を確保しようとすると、装置自体が大きくなるという問題もある。
【０００５】
【課題を解決するための手段】
本発明は、設置台に載置した原稿を離れた位置から光学的に読み取る装置に際して、設置台上に読み取り原稿サイズを広くさせた移送できる合成原稿器具を備え、移送する手段の滑子を係止する。
【０００６】
【発明の実施の形態】
以下、この発明に係る媒体移送機構の実施形態を図面に基づき説明する。
【０００７】
図１は本発明の器具を取り付けるスタンドタイプの光学的画像入力装置であり、構成の概要を説明する。このように、読取り対象の媒体、例えば原稿を設置する設置台１と画像を読み取るカメラ３が離間しているものを非接触型画像入力装置という。
【０００８】
図１に示すスタンド型画像入力装置は、机等の上に設置する為の設置台１の下に制御部及び駆動用の回路基板（図示しない）を内蔵している。その読み取り台の左上には、パイプ等の支柱５を介して、原稿の読み取りを行う機構部３が取り付けられている。機構部３には、設置台内に内蔵された制御部及び回路基板により制御される光学的画像読み取り素子（図示しない）を介して設置台１上に置かれた原稿２の画像を読み取ることができる。
【０００９】
図１の画像入力装置では、設置台１上に置かれた原稿２と光学的画像読み取り素子が内蔵された機構部３の間に距離がある為、原稿２を設置台１上の平面内で前後左右の位置決めをして、機構部３で読み取りが可能な範囲内で収めることが重要になる。
【００１０】
この設置台１上の平面内での位置決めには、図１に示すように、設置台１で、機構部３での読み取り可能な範囲の上端と左端のそれぞれに、上端及び左端合わせ突起７を設け、原稿２の上端と左端のそれぞれを上端及び左端突起７に押し当てる事で、簡単に行うことができる。
【００１１】
例えば、本実施の形態の画像入力装置は、設置台に搭載し、また読み取れる原稿サイズを銀行などの申込書のサイズと卓上机等の設置スペースから読み取る原稿サイズをＡ４サイズのものまで予定している。本発明は、さらに媒体移送機構をとりつけることによって、予定しているサイズ以上の媒体の画像を入力することを可能とする。
【００１２】
設置台１と機構部３は台座部４と支柱５を介して繋がっており、台座部４には制御基板を内蔵し手前に設けたスイッチ６を押下すると支柱４内を通したケーブルで機構部３に信号を送り読取りを開始する。
【００１３】
設置台１は平坦な面に原稿を押し当て左右と前後に位置決めする上端及び左端合わせ突起７を有し、且つ表面に反射をしない反射防止加工をしている。反射ＢＳ防止加工としては、例えば黒の塗装処理がある。このように、媒体を載置する面に反射防止加工処理を行なう目的は、読取り面が反射してしまうと読み取り原稿より明るくなりその明るい部位を基準にして読み取る為、読み取り画像が全体的に暗くなる。また、反射してしまうと原稿と濃淡の差がなくなり、原稿の端面（周囲のエッジ）の見切りが検出できず読み取り範囲が誤認識することもあるためである。この設置台１の表面の反射しない黒色の塗装処理は、読み取る機構部３に影響しないのであれば、黒色以外の濃色でも良い。
【００１４】
図２はこの発明に係る媒体移送機構の斜視図であり、図１の画像入力装置に取り付けた状態を示す。
【００１５】
媒体移送機構の構成は、表面に反射をしない黒の塗装処理をした原稿合成金具１０とこの媒体移送機構に移送させる滑子２１が滑子金具２０を介し係止している。（詳細の取付け構造は図４で説明する。）この原稿合成金具１０に左端突起及び上端突起９に合わせてＡ３サイズ原稿２Ａを載置させ、媒体移送機構を手動操作で左右方向に移送することができる。図２では、媒体移送機構の左内側端が設置台３の左側に当接している。この位置を、例えば第１の載置位置とよぶ。この媒体移送機構は、滑子２１を回転させることによって図２の左方へ移動し、媒体移送機構の右内側端が、設置台３の右側に当接する位置まで移動可能である。この位置を例えば第２の載置位置とよぶ。
【００１６】
次に、本実施の形態の媒体移送機構１０を用いて、大きいサイズの媒体の画像入力処理について、次に説明する。まず、図２のように媒体移送機構１０を手動操作で、右側へ突き当て、スイッチ６を押し画像を読み取る。その後手動操作で図３の状態にあるように媒体移送機構１０を手動操作で左側へ突き当て、スイッチ６を押すと、２回読みした画像をソフトで合成させＡ３サイズの読み取りが出力される。
【００１７】
画像の合成には、媒体移送機構１０上の中央部上下に目印となる合成マーク２３があり、２回読み取りした合成マーク２３を目印としてソフトで結合させる。この合成マーク２３は、原稿を置いた時の上下に三角形（▽△）で表示されているが、画像が合成できるのであれば、十字マーク等の目印でもよい。
【００１８】
この媒体移送機構１０は手動操作で移送させているが、レール等を使い自動操作で移送させてもよい。また移送手段の滑子２１の他にスライド機構を設けて直線往復運動をさせることもできる。
【００１９】
また媒体移送機構１０上に載置する際、画像入力装置に係止したピン金具４は取り外し、媒体移送機構１０上と機構部３の距離を、設置台１と機構部３の距離との差異を小さくして視野範囲が外れないよう最小高さ（約３ｍｍ）としている。媒体移送機構１０と機構部３との距離の差異が大きいと読み取り画像のピントのぶれや読み取り文字の誤認識が発生する。
【００２０】
そのため移送手段は画像入力装置の両側の高さスペース使って滑子２１を移動させる方法とした。但し機構部３と原稿までの距離を、レンズを可変させ距離を制御できるのであればガイド金具１３上に移送する手段を設けてもよい。
【００２１】
原稿２Ａを読み込ませる時の媒体移送機構１０の左右位置については、ガイド金具１３の左右に磁石１８が取り付けられており、磁力により媒体移送機構１０に係止された滑子金具１７と密着し読み取り位置が固定される。ここで使用した磁石の磁力は約３００ｇ程度であり、人の力で簡単に着脱ができる。
【００２２】
装置の大きさの制約がないのであれば、画像の合成する方法として、合成原稿器具１０を移送させているが、Ａ３サイズを２分割した中央に機構部３　２ケを配置し読み取り合成する方法や、合成原稿器具１０を固定にし機構部３をスライドさせ読み取る方法でもよい。
【００２３】
図４は、この発明に係る媒体移送機構の取付け構造の分解図を示している。
媒体移送機構の取付けは、まずガイド固定金具を装置背面より螺子１１で取り付ける。ガイド金具曲げ突起部１４をガイド金具挿入穴８に入れ、突き当てることでガイド固定金具１２とガイド金具１３が密着する。ガイド固定金具１２の側面２ケ所の穴から螺子１１で固定する。このガイド金具１３は、合成原稿器具１０の左右往復運動した時の左右位置に突き当てした時のずれを抑える為に取り付けしており、このガイド金具の上端及び下端に貼付けられたガイド案内板１５の端面と合成原稿器具１０の裏面に貼付けした合成案内板１９が摺動され合成原稿器具１０を手動操作した時に左右の位置でのずれを抑えている。
【００２４】
またガイド金具１３の右側の内側に抑えゴム１６（図５参照）が貼り付けてあり、ガイド金具１３をガイド固定金具１２に螺子止めした時、抑えゴム１６が設置台右端面１Ａに密着しガイド金具１３の上下のガタを抑えている。ガイド金具に上下のガタがあると、読み取り範囲が外れる場合や、左右の読み取り画像が回転されて読み込まれている為、画像を合成するのに時間がかかる。
【００２５】
またガイド金具１３の裏面には、保護シート１７（図５参照）を貼付けて、設置台１表面の塗装が剥れないようにしている。
【００２６】
この媒体移送機構１０は、図２に示すような左側突当て状態の位置に固定しておけば、合成の必要のないＡ４サイズ以下の原稿の読み取りもできる。
【００２７】
図５は、この発明に係る媒体移送機構のガイド金具の分解図を示している。
ガイド金具１３の上下にはガイド案内板１５が突き当てて貼り付け、またガイド金具曲げ突起部１４のある面及び背面には、保護シートが貼ってある。背面の保護シートはガイド金具が板金の為、媒体移送機構１０の手動操作の振動で設置台１上に塗装剥れを防止する為である。上面の保護シートは媒体移送機構１０の変形を防止する為、貼り付けしてある。
【００２８】
ガイド金具１３の上下に大きさの違う角穴が設けているのは、媒体移送機構１０を上下方向に逆さに取り付けられないようにしている。
【００２９】
図６は、この発明に係る媒体移送機構１０の分解図を示している。
【００３０】
媒体移送機構１０上には、画像を合成する為の合成マーク２３と、読み取り範囲を示す読み取り範囲マーク２４が無反射黒の塗装上から印刷されている。
【００３１】
また媒体移送機構１０上に、原稿の位置決めをする上端及び左端合わせ突起９が係止し、読み取りたい原稿の位置を容易に合わせることができる。
【００３２】
媒体移送機構の側面には、サイドパネル２２が係止され、移送させる手掛けとなるようにしている。滑子２１は、滑子金具２０を介し媒体移送機構１０に螺子（図示しない）固定されているが、画像入力装置を設置する机等が凹凸である場合、この螺子を緩めると滑子金具２０が上下にずれ滑子が設置できるよう調整できるようにしている。
【００３３】
【発明の効果】
本発明によれば、光学的に読み取りを行う非接触型の画像入力装置において、合成原稿器具を形成することで、コンパクトな構成で、大きな原稿を読み取ることができる。
【図面の簡単な説明】
【図１】この発明に係る非接触型スタンドタイプの光学読取り装置の外観図である。
【図２】本実施例の読取装置に媒体移送機構を取り付け、原稿の左面を読み込ませようとした斜視図である。
【図３】本実施例の読取装置に媒体移送機構を取り付け、原稿の左面を読み込ませようとした斜視図である。
【図４】本実施例の読取装置と媒体移送機構の概略構成を説明する斜視図である。
【図５】本実施例のガイド金具の構成を説明する斜視図である。
【図６】本実施例の媒体移送機構の構成を説明する斜視図である。
【符号の説明】
１：設置台、１Ａ：設置台右端面、２：原稿（Ａ４サイズ）、２Ａ：原稿（Ａ３サイズ）、３：機構部、４：ピン金具、５：支柱、６：スイッチ、７：上端及び左端合わせ突起（読取装置部位）、８：ガイド金具挿入穴、９：上端及び左端合わせ突起（媒体移送機構部）、１０：媒体移送機構、１１：螺子、１２：ガイド固定金具、１３：ガイド金具、１４：ガイド金具曲げ突起部、１５：ガイド案内板、１６：抑えゴム、１７：保護シート、１８：磁石、１９：合成案内板、２０：滑子金具、２１：滑子、２２：サイドパネル、２３：合成マーク、２４：読み取り範囲マーク
【図１】
2004104729.tif 000003
【図２】
2004104729.tif 000004
【図３】
2004104729.tif 000005
【図４】
2004104729.tif 000006
【図５】
2004104729.tif 000007
【図６】
2004104729.tif 000008